(57)【要約】【課題】レンズを保持する可動体が停止しているときの撮像素子に対するレンズの光軸の傾きを抑制することが可能なレンズ駆動装置を提供する。【解決手段】このレンズ駆動装置は、レンズを保持し光軸方向へ移動可能な可動体と、可動体を光軸方向へ移動可能に保持する固定体と、被写体側に撮像素子が実装されるとともに被写体側が固定体の反被写体側に固定される基板６とを備えている。基板６は、導体パターン２２と、絶縁性材料で形成され導体パターン２２の一部を覆う保護膜２３とを備え、基板６の被写体側の面には、撮像素子の端子が搭載される導体パターン２２の面である搭載面２２ａと、固定体の反被写体側の端部に当接する当接面６ｂとが形成されている。基板６では、搭載面２２ａと当接面６ｂとが略平行になるように、かつ、光軸方向における搭載面２２ａと当接面６ｂとの距離が略一定になるように、導体パターン２２が形成されている。【選択図】図６
2013186248.tif 000002
【特許請求の範囲】
【請求項１】
レンズを保持し前記レンズの光軸方向へ移動可能な可動体と、前記可動体を前記光軸方向へ移動可能に保持する固定体と、前記可動体を前記光軸方向へ駆動するための駆動機構と、被写体側に撮像素子が実装されるとともに前記被写体側が前記固定体の反被写体側に固定される基板とを備え、
前記基板は、導体パターンと、絶縁性材料で形成され前記導体パターンの一部を覆う保護膜とを備え、
前記基板の前記被写体側の面には、前記撮像素子の端子が搭載される前記導体パターンの面である搭載面と、前記固定体の前記反被写体側の端部に当接する当接面とが形成され、
前記基板では、前記搭載面と前記当接面とが略平行になるように、かつ、前記光軸方向における前記搭載面と前記当接面との距離が略一定になるように、前記導体パターンが形成されていることを特徴とするレンズ駆動装置。
【請求項２】
前記基板は、少なくとも前記被写体側に前記導体パターンが形成される基材を備え、
前記基板の、前記当接面が形成される当接部の前記被写体側では、前記基材上に前記導体パターンが形成され、かつ、前記導体パターンが前記保護膜で覆われていることを特徴とする請求項１記載のレンズ駆動装置。
【請求項３】
前記当接部は、前記基板の外周端側に形成され、
前記基板の前記被写体側では、前記導体パターンが、前記基板の外周に沿って枠状に形成されていることを特徴とする請求項２記載のレンズ駆動装置。
【請求項４】
前記基板は、少なくとも前記被写体側に前記導体パターンが形成される基材を備え、
前記基板の、前記当接面が形成される当接部の前記被写体側では、前記基材上に前記導体パターンが形成されずに、前記基材が前記保護膜で覆われていることを特徴とする請求項１記載のレンズ駆動装置。
【請求項５】
前記保護膜の表面が前記当接面となっていることを特徴とする請求項１から４のいずれかに記載のレンズ駆動装置。
【請求項６】
前記基板の前記被写体側では、前記保護膜の表面に所定の印刷方法で印刷された印刷層が形成され、
前記印刷層の表面が前記当接面となっていることを特徴とする請求項１から４のいずれかに記載のレンズ駆動装置。
【請求項７】
前記固定体の前記反被写体側には、前記当接面が当接するとともに、前記撮像素子に対する前記レンズの光軸の傾きを補正するための複数の突起が形成されていることを特徴とする請求項１から６のいずれかに記載のレンズ駆動装置。
【請求項８】
前記固定体は、前記光軸方向から見たときの形状が略四角形となるように形成され、
前記突起は、前記固定体の四隅のそれぞれに形成されていることを特徴とする請求項７記載のレンズ駆動装置。
【請求項９】
前記基板の前記被写体側には、前記保護膜が取り除かれた非保護部が、前記当接面を囲むように形成されていることを特徴とする請求項１から８のいずれかに記載のレンズ駆動装置。
【発明の詳細な説明】
【技術分野】
【０００１】
本発明は、携帯電話等に搭載される比較的小型のカメラで使用されるレンズ駆動装置に関する。
【背景技術】
【０００２】
従来、携帯電話等に搭載されるカメラの撮影用のレンズを駆動するレンズ駆動装置として、レンズを保持して光軸方向へ移動する移動筒と、移動筒を光軸方向へ移動可能に保持する外筒とを備えるレンズ駆動装置が知られている（たとえば、特許文献１参照）。特許文献１に記載のレンズ駆動装置では、外筒の反被写体側の端面に、撮像素子が実装された基板が固定されている。
【先行技術文献】
【特許文献】
【０００３】
【特許文献１】特開２００７−１２１７４５号公報
【発明の概要】
【発明が解決しようとする課題】
【０００４】
レンズ駆動装置では、一般に、撮影された画像の片ボケを防止するために、レンズを保持する移動筒が停止しているときの撮像素子に対するレンズの光軸の傾き（初期チルト）を抑制する必要がある。特に近年は、携帯電話等に搭載されるカメラの市場において、カメラの高画素化の要求が高まっており、カメラを高画素化する場合には、撮影された画像の片ボケを防止するために、初期チルトをさらに抑制する必要がある。
【０００５】
そこで、本発明の課題は、レンズを保持する可動体が停止しているときの撮像素子に対するレンズの光軸の傾き（初期チルト）を抑制することが可能なレンズ駆動装置を提供することにある。
【課題を解決するための手段】
【０００６】
上記の課題を解決するため、本発明のレンズ駆動装置は、レンズを保持しレンズの光軸方向へ移動可能な可動体と、可動体を光軸方向へ移動可能に保持する固定体と、可動体を光軸方向へ駆動するための駆動機構と、被写体側に撮像素子が実装されるとともに被写体側が固定体の反被写体側に固定される基板とを備え、基板は、導体パターンと、絶縁性材料で形成され導体パターンの一部を覆う保護膜とを備え、基板の被写体側の面には、撮像素子の端子が搭載される導体パターンの面である搭載面と、固定体の反被写体側の端部に当接する当接面とが形成され、基板では、搭載面と当接面とが略平行になるように、かつ、光軸方向における搭載面と当接面との距離が略一定になるように、導体パターンが形成されていることを特徴とする。
【０００７】
本発明のレンズ駆動装置では、固定体の反被写体側に固定される基板の被写体側の面に、撮像素子の端子が搭載される導体パターンの面である搭載面と、固定体の反被写体側の端部に当接する当接面とが形成され、基板では、搭載面と当接面とが略平行になるように、かつ、光軸方向における搭載面と当接面との距離が略一定になるように、導体パターンが形成されている。そのため、本発明では、搭載面に搭載される撮像素子に対する固定体の傾きを抑制することが可能になる。したがって、本発明では、固定体を介して可動体に保持されるレンズの光軸の、撮像素子に対する傾きを抑制することが可能になる。すなわち、本発明では、レンズを保持する可動体が停止しているときの撮像素子に対するレンズの光軸の傾き（初期チルト）を抑制することが可能になる。
【０００８】
本発明において、基板は、少なくとも被写体側に導体パターンが形成される基材を備え、基板の、当接面が形成される当接部の被写体側では、基材上に導体パターンが形成され、かつ、導体パターンが保護膜で覆われていることが好ましい。このように構成すると、導体パターンと保護膜とによって、搭載面と当接面とを略平行にすること、および、光軸方向における搭載面と当接面との距離を略一定することが可能になる。また、このように構成すると、信号用の導体パターンや電源用の導体パターン等の基板の機能を発揮させるために不可欠な導体パターンを当接部の被写体側に配置することが可能になるため、導体パターンの引き回しの自由度を高めることが可能になる。さらに、このように構成すると、当接部の被写体側の一部に信号用や電源用の導体パターン等の不可欠な導体パターンが形成され、かつ、当接部の被写体側の残りの部分に不可欠な導体パターンが形成されていない場合には、当接部の被写体側の残りの部分に調整用の導体パターンを形成するといった簡易な構成で、搭載面と当接面とを略平行にすること、および、光軸方向における搭載面と当接面との距離を略一定することが可能になる。
【０００９】
本発明において、当接部は、基板の外周端側に形成され、基板の被写体側では、導体パターンが、基板の外周に沿って枠状に形成されていることが好ましい。このように構成すると、枠状に形成される導体パターンによって基板の剛性を高めることが可能になる。また、枠状に形成される導体パターンによって基板の反りを抑制することが可能になる。
【００１０】
本発明において、基板は、少なくとも被写体側に導体パターンが形成される基材を備え、基板の、当接面が形成される当接部の被写体側では、基材上に導体パターンが形成されずに、基材が保護膜で覆われていても良い。この場合には、当接部の被写体側において基材上に導体パターンが配置されないように導体パターンを形成することで、保護膜を用いて、搭載面と当接面とを略平行にすること、および、光軸方向における搭載面と当接面との距離を略一定にすることが可能になる。
【００１１】
本発明において、たとえば、保護膜の表面が当接面となっている。また、本発明において、基板の被写体側では、保護膜の表面に所定の印刷方法で印刷された印刷層が形成され、印刷層の表面が当接面となっていても良い。保護膜の表面が当接面となっている場合には、保護膜の表面に形成される印刷層が当接面になっている場合と比較して、基板の構成を簡素化することが可能になる。また、印刷層の表面が当接面となっている場合には、保護膜の色と印刷層の色とを変えることで、当接面を目視ではっきりと確認することが可能になる。また、当接面に汚れや傷等が発生したことを容易に見つけることが可能になる。
【００１２】
本発明において、固定体の反被写体側には、当接面が当接するとともに、撮像素子に対するレンズの光軸の傾きを補正するための複数の突起が形成されていることが好ましい。このように構成すると、複数の突起のいくつかを潰すことで、撮像素子に対するレンズの光軸の傾きを補正して、初期チルトを効果的に抑制することが可能になる。また、このように構成すると、突起が当接する面が当接面となるため、当接面の面積を小さくすることが可能になる。したがって、当接面と搭載面とが略平行になるように、かつ、光軸方向における当接面と搭載面との距離が略一定になるように、導体パターンが形成される場合であっても、比較的容易に導体パターンを形成することが可能になる。
【００１３】
なお、たとえば、可動体と固定体とを繋ぐバネ部材を補正することで、撮像素子に対するレンズの光軸の傾きを補正することも可能であるが、初期チルトを抑制するために、バネ部材を補正すると、可動体の移動速度や移動量等の可動体の移動特性等に悪影響を及ぼすおそれがある。これに対して、レンズ駆動装置の内部の構成を変えることなく、固定体の反被写体側に形成される複数の突起を利用して基板等を除くレンズ駆動装置の全体を傾けることで、撮像素子に対するレンズの光軸の傾きを補正する場合には、撮像素子に対するレンズの光軸の傾きを補正しても、可動体の移動特性等に悪影響を及ぼすおそれはない。
【００１４】
本発明において、たとえば、固定体は、光軸方向から見たときの形状が略四角形となるように形成され、突起は、固定体の四隅のそれぞれに形成されている。この場合には、いくつかの突起を潰すことで、略四角形に形成される固定体の各辺を回転中心にしてレンズの光軸を傾けて光軸の傾き補正を行うこと、および、固定体の各対角線を回転中心にしてレンズの光軸を傾けて光軸の傾き補正を行うことが可能になる。すなわち、８方向へのレンズの光軸の傾き補正を行うことが可能になる。
【００１５】
本発明において、基板の被写体側には、保護膜が取り除かれた非保護部が、当接面を囲むように形成されていることが好ましい。このように構成すると、当接面以外の箇所で発生した半田等の異物が基板の被写体側の面に沿って当接面に向かって流れてきても、この異物は、保護膜が取り除かれた非保護部に入り込む。したがって、当接面以外の箇所で発生した異物が当接面に付着するのを防止することが可能になる。
【発明の効果】
【００１６】
以上のように、本発明のレンズ駆動装置では、初期チルトを抑制することが可能になる。
【図面の簡単な説明】
【００１７】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図１に示すベース部材の底面図である。
【図５】図１に示す基板の平面図である。
【図６】図５のＦ−Ｆ断面の断面図である。
【図７】本発明の他の実施の形態にかかる基板の平面図である。
【図８】本発明の他の実施の形態にかかる基板の平面図である。
【図９】本発明の他の実施の形態にかかる基板の当接部の断面図である。
【図１０】本発明の他の実施の形態にかかる基板の当接部の断面図である。
【図１１】本発明の他の実施の形態にかかる基板を示す図であり、（Ａ）は平面図、（Ｂ）は（Ａ）のＧ部の拡大図であり、（Ｃ）はＨ−Ｈ断面の断面図である。
【発明を実施するための形態】
【００１８】
以下、図面を参照しながら、本発明の実施の形態を説明する。
【００１９】
（レンズ駆動装置の構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。なお、以下の説明では、図１等に示すように、互いに直交する３方向のそれぞれをＸ方向、Ｙ方向およびＺ方向とし、Ｘ方向を左右方向、Ｙ方向を前後方向、Ｚ方向を上下方向とする。また、図１等のＺ１方向側を「上」側、Ｚ２方向側を「下」側とする。
【００２０】
本形態のレンズ駆動装置１は、携帯電話、ドライブレコーダあるいは監視カメラシステム等で使用される比較的小型のカメラに搭載されるものであり、図１に示すように、全体として略四角柱状に形成されている。具体的には、レンズ駆動装置１は、撮影用のレンズの光軸Ｌの方向（光軸方向）から見たときの形状が略正方形状となるように形成されている。また、レンズ駆動装置１の４つの側面は、左右方向または前後方向と略平行になっている。
【００２１】
本形態では、Ｚ方向（上下方向）が光軸方向とほぼ一致している。また、本形態のレンズ駆動装置１では、装置の下端側に撮像素子２が配置されており、上側に配置される被写体が撮影される。すなわち、本形態では、上側（Ｚ１方向側）は被写体側（物体側）であり、下側（Ｚ２方向側）は反被写体側（撮像素子側、像側）である。
【００２２】
レンズ駆動装置１は、図１、図２に示すように、撮影用のレンズを保持し光軸方向へ移動可能な可動体３と、可動体３を光軸方向へ移動可能に保持する固定体４と、可動体３を光軸方向へ駆動するための駆動機構５と、撮像素子２が実装される基板６とを備えている。また、レンズ駆動装置１は、図２、図３に示すように、可動体３と固定体４とを繋ぐ板バネ８、９を備えている。すなわち、可動体３は、板バネ８、９を介して固定体４に移動可能に保持されている。
【００２３】
可動体３は、複数のレンズが固定されたレンズホルダ１０を保持するスリーブ１１を備えている。固定体４は、レンズ駆動装置１の側面を構成するカバー部材１２と、レンズ駆動装置１の反被写体側部分を構成するベース部材１３と、板バネ８の一部が固定されるスペーサ１４とを備えている。
【００２４】
レンズホルダ１０は、略円筒状に形成されている。このレンズホルダ１０の内周側には、複数のレンズが固定されている。スリーブ１１は、たとえば、樹脂材料で形成されるとともに、略筒状に形成されている。スリーブ１１の内周面には、レンズホルダ１０の外周面が固定されている。スリーブ１１の外周面には、駆動機構５を構成する後述の駆動用コイル１７が巻回されている。
【００２５】
カバー部材１２は、磁性材料で形成されている。また、カバー部材１２は、底部１２ａと筒部１２ｂとを有する底付きの略四角筒状に形成されている。上側に配置される底部１２ａの中心には、貫通孔１２ｃが形成されている。
【００２６】
ベース部材１３は、絶縁性を有する樹脂材料で形成されている。また、ベース部材１３は、光軸方向から見たときの形状が略正方形となるブロック状に形成されている。このベース部材１３は、カバー部材１２の下端側に取り付けられている。ベース部材１３の中心には、貫通孔１３ａが形成されている。ベース部材１３の上面には、光軸方向における可動体３の基準位置を決めるための基準面１３ｂが光軸方向と略直交するように形成されている。ベース部材１３のより具体的な構成については後述する。
【００２７】
スペーサ１４は、たとえば、樹脂材料で形成されるとともに、略正方形の扁平なブロック状に形成されている。また、スペーサ１４は、枠状に形成されており、その中心には、貫通孔１４ａが形成されている。このスペーサ１４は、カバー部材１２の底部１２ａの下面に固定されている。
【００２８】
撮像素子２は、基板６の上面６ａ側に実装されている。基板６の上面６ａは、ベース部材１３の下端側に固定されている。撮像素子２は、光軸Ｌが通過する位置に配置されるとともに、ベース部材１３の内部に配置されている。基板６の具体的な構成については後述する。
【００２９】
板バネ８は、スリーブ１１の上端側に固定される円環状の可動体固定部と、スペーサ１４に固定される固定体固定部と、可動体固定部と固定体固定部とを繋ぐ腕部とを備えている。板バネ９は、スリーブ１１の下端側に固定される可動体固定部と、ベース部材１３に固定される固定体固定部と、可動体固定部と固定体固定部とを繋ぐ腕部とを備えている。
【００３０】
駆動機構５は、スリーブ１１の外周側に巻回される２個の駆動用コイル１７と、レンズ駆動装置１の４つの側面のそれぞれに沿って配置される駆動用磁石１８とを備えている。２個の駆動用コイル１７は、光軸方向に所定の間隔をあけた状態で配置されている。駆動用磁石１８は、光軸方向から見たときの形状が扁平な長方形状となる略矩形の板状に形成されている。駆動用磁石１８は、駆動用コイル１７の外周面に対向するようにカバー部材１２の筒部１２ｂの内側面に固定されている。
【００３１】
（ベース部材および基板の構成）
図４は、図１に示すベース部材１３の底面図である。図５は、図１に示す基板６の平面図である。図６は、図５のＦ−Ｆ断面の断面図である。
【００３２】
ベース部材１３は、上述のように、光軸方向から見たとき形状が略正方形状となるように形成されている。ベース部材１３の下面１３ｃは、光軸方向から見たときの形状が略正方形の枠状となるように形成されている。下面１３ｃには、撮像素子２に対するレンズの光軸Ｌの傾きを補正するための複数の突起１３ｄが下方向へ突出するように形成されている。本形態では、下面１３ｃに４個の突起１３ｄが形成されている。また、突起１３ｄは、図４に示すように、略正方形の枠状に形成される下面１３ｃの四隅のそれぞれに形成されている。本形態では、ベース部材１３の中心を光軸Ｌが通過するようにベース部材１３が配置されており、下面１３ｃの対角線上に配置される突起１３ｄを結ぶ対角線Ｄ１、Ｄ２の交点は、光軸方向から見たときに、光軸Ｌと略一致している。
【００３３】
突起１３ｄは、扁平な円柱状に形成されている。突起１３ｄの外径は小さく、かつ、その高さ（光軸方向における高さ）は薄くなっている。たとえば、突起１３ｄの外径は、０．３ｍｍ程度であり、突起１３ｄの高さは、０．０３ｍｍ程度となっている。なお、以下の説明では、４個の突起１３ｄを区別して表す場合には、４個の突起１３ｄのそれぞれを突起１３ｅ、突起１３ｆ、突起１３ｇ、突起１３ｈとする。突起１３ｅ〜１３ｈは、枠状に形成される下面１３ｃの周方向にこの順番で形成されている。
【００３４】
基板６は、ガラスエポキシ基板等の柔軟性のないリジット基板であり、略正方形の平板状に形成されている。この基板６は、図６に示すように、基材２１と、基材２１上に形成される導体パターン２２と、導体パターン２２の一部を覆う保護膜２３とを備えている。本形態の基板６は、両面基板であり、基材２１の両面に導体パターン２２および保護膜２３が形成されている。
【００３５】
導体パターン２２は、たとえば、銅箔からなる銅箔パターンであり、その厚みは略一定になっている。導体パターン２２は、基板６に要求される機能に応じた形状で、基材２１上に形成されている。保護膜２３は、導体パターン２２の、半田付けが必要な部分を露出させるとともに、導体パターン２２の、半田付けが不要な部分を覆って保護するソルダーレジストであり、絶縁性材料によって形成されている。この保護膜２３は、半田付けが必要な部分を除く、基板６の表面の全域に形成されている。また、保護膜２３の厚みは略一定になっている。なお、図５では、導体パターン２２の一部のみを図示している。
【００３６】
基板６の上面６ａでは、撮像素子２の端子が搭載されるとともに半田付けされて固定される導体パターン２２の一部が露出している。すなわち、基板６の上面６ａには、撮像素子２の端子が搭載される導体パターン２２の面である複数の搭載面２２ａが形成されている。また、上述のように、基板６の上面６ａは、ベース部材１３の下端側に固定されている。本形態では、光軸方向から見たときの基板６の外形は、ベース部材１３の外形と略等しくなっており、基板６は、その上面６ａの四隅を突起１３ｄの下端に当接させた状態で、接着によって、ベース部材１３の下面１３ｃに固定されている。すなわち、基板６の上面６ａの四隅は、ベース部材１３の反被写体側の端部となる突起１３ｄの下端に当接する当接面６ｂとなっている。また、基板６の四隅のそれぞれは、当接面６ｂが形成される当接部６ｃとなっている。
【００３７】
本形態では、基板６の上面６ａ側において（すなわち、基材２１の上側において）、導体パターン２２が基板６の外周に沿って略正方形の枠状に形成されている（図５参照）。すなわち、基板６の四隅のそれぞれに形成される当接部６ｃの上面側では（すなわち、４つの当接部６ｃの上面側では）、基材２１上に導体パターン２２が形成されている。また、基板６の外周に沿って略正方形の枠状に形成される導体パターン２２は、保護膜２３で覆われている。すなわち、４つの当接部６ｃの上面側では、導体パターン２２は、保護膜２３で覆われている。本形態では、保護膜２３の表面（上面）が、突起１３ｄの下端に当接する当接面６ｂとなっている。なお、本形態では、基板６の外周に沿って略正方形の枠状に形成される導体パターン２２は、略正方形の枠状に形成されるベース部材１３の下面１３ｃと上下方向で重なるように形成されている。
【００３８】
このように、本形態では、４つの当接部６ｃの上面側の全てにおいて、基材２１上に導体パターン２２が形成され、かつ、導体パターン２２が保護膜２３で覆われるとともに、保護膜２３の表面が当接面６ｂとなっている。そのため、４つの当接面６ｂは、光軸方向に略直交する略同一平面上に配置されている。すなわち、４つの当接部６ｃの上面側のいずれかにおいて、基材２１上に導体パターン２２が形成されていないと、基材２１の上面から保護膜２３の表面（すなわち、当接面６ｂ）までの距離が導体パターン２２の厚み分だけ短くなるため、４つの当接面６ｂが略同一平面上に配置されることはないが、本形態では、４つの当接面６ｂが略同一平面上に配置されている。
【００３９】
また、４つの当接部６ｃの上面側の全てにおいて、基材２１上に導体パターン２２が形成され、かつ、導体パターン２２が保護膜２３で覆われるとともに、保護膜２３の表面が当接面６ｂとなっているため、４つの当接面６ｂのそれぞれと搭載面２２ａとが略平行になっており、かつ、４つの当接面６ｂのそれぞれと搭載面２２ａとの上下方向（光軸方向）における距離が互いに略等しくなっている。すなわち、本形態では、４つの当接面６ｂのそれぞれと搭載面２２ａとが略平行になり、かつ、４つの当接面６ｂのそれぞれと搭載面２２ａとの上下方向における距離が互いに略等しくなるように、導体パターン２２が形成されている。
【００４０】
なお、本形態では、基板６の外周に沿って略正方形の枠状に形成される導体パターン２２は、信号用や電源用の導体パターン２２等の基板６の機能を発揮させるために不可欠な導体パターン２２ではなく、４つの当接面６ｂを光軸方向に略直交する略同一平面上に配置させるための調整用の導体パターン２２である。また、本形態では、レンズ駆動装置１がカメラに搭載されると、導体パターン２２は接地される。
【００４１】
基板６の上面６ａとベース部材１３の下面１３ｃとの間には、上面６ａと下面１３ｃとの間に塗布された接着剤が固化することで形成された接着層１５（図２参照）が形成されている。光軸方向における接着層１５の厚さは、突起１３ｄの高さと略等しくなっており、上面６ａと下面１３ｃとの隙間は、接着層１５によって埋められている。なお、４個の突起１３ｄのうちの１個または２個の突起１３ｄは、後述のレンズ駆動装置１の製造過程で、潰されてなくなることもある。その場合には、上面６ａの一部は、ベース部材１３の下面１３ｃに当接している。
【００４２】
（撮像素子に対するレンズの光軸の傾き補正方法）
以上のように構成されたレンズ駆動装置１を製造する製造過程では、ベース部材１３の下面１３ｃおよび突起１３ｄに基板６が接着固定される前のレンズ駆動装置１を用いて、撮像素子２に対するレンズの光軸Ｌの傾き角度（傾き量）と傾き方向とを検査する。すなわち、撮像素子２の軸に対する光軸Ｌの傾き角度と傾き方向とを検査する。具体的には、検査用の撮像素子が実装された検査用の基板（図示省略）をベース部材１３の４個の突起１３ｄに当接させて、撮像素子２に対する光軸Ｌの傾き角度および傾き方向の代用として、検査用の撮像素子に対する光軸Ｌの傾き角度および傾き方向を検査する。
【００４３】
検査された光軸Ｌの傾き角度が所定の基準値を超えている場合には、検査工程での光軸Ｌの傾き方向の検査結果に基づいて、突起１３ｄを潰して、撮像素子２に対する光軸Ｌの傾きを補正する。すなわち、検査された光軸Ｌの傾き角度が所定の基準値を超えている場合には、光軸Ｌの傾き角度が基準値内に収まるように、突起１３ｄを潰して、光軸Ｌの傾きを補正する。本形態では、下面１３ｃの周方向で隣接する２個の突起１３ｄ、または、１個の突起１３ｄを潰して光軸Ｌの傾きを補正する。なお、光軸Ｌの傾きを補正する際には、突起１３ｄに熱を加えながら圧力をかけて突起１３ｄを潰しても良いし、突起１３ｄに熱を加えずに圧力をかけて突起１３ｄを潰しても良い。
【００４４】
たとえば、光軸Ｌの傾き方向の検査結果に基づいて、略正方形の枠状に形成される下面１３ｃを構成する４つの辺Ｅ１〜Ｅ４のうち、突起１３ｅ、１３ｆが形成される角部を結ぶ辺Ｅ１を回転中心にして左右方向へ光軸Ｌの傾きを補正する場合には、突起１３ｇ、１３ｈを潰す。同様に、光軸Ｌの傾き方向の検査結果に基づいて、突起１３ｆ、１３ｇが形成される角部を結ぶ辺Ｅ２を回転中心にして前後方向へ光軸Ｌの傾きを補正する場合には、突起１３ｈ、１３ｅを潰し、突起１３ｇ、１３ｈが形成される角部を結ぶ辺Ｅ３を回転中心にして左右方向へ光軸Ｌの傾きを補正する場合には、突起１３ｅ、１３ｆを潰し、突起１３ｈ、１３ｅが形成される角部を結ぶ辺Ｅ４を回転中心にして前後方向へ光軸Ｌの傾きを補正する場合には、突起１３ｆ、１３ｇを潰す。
【００４５】
また、たとえば、光軸Ｌの傾き方向の検査結果に基づいて、突起１３ｅ、１３ｇを結ぶ対角線Ｄ１を回転中心にして、左右方向に対して−４５°傾いた方向へ光軸Ｌの傾きを補正する場合には、突起１３ｆあるいは突起１３ｈを潰し、突起１３ｆ、１３ｈを結ぶ対角線Ｄ２を回転中心にして、左右方向に対して４５°傾いた方向へ光軸Ｌの傾きを補正する場合には、突起１３ｅあるいは突起１３ｇを潰す。
【００４６】
このように、本形態では、辺Ｅ１〜Ｅ４のそれぞれが下がる方向、突起１３ｅが形成される角部が下がる方向、突起１３ｆが形成される角部が下がる方向、突起１３ｇが形成される角部が下がる方向、および、突起１３ｈが形成される角部が下がる方向の８方向へ光軸Ｌの傾き補正を行うことが可能である。なお、本形態では、突起１３ｄの潰し量は、どの突起１３ｄを潰す場合でも同じである。
【００４７】
（本形態の主な効果）
以上説明したように、本形態のレンズ駆動装置１では、４つの当接部６ｃの上面側の全てにおいて、基材２１上に導体パターン２２が形成され、かつ、導体パターン２２が保護膜２３で覆われるとともに、保護膜２３の表面が当接面６ｂとなっている。そのため、本形態では、４つの当接面６ｂのそれぞれと搭載面２２ａとが略平行になっており、かつ、４つの当接面６ｂのそれぞれと搭載面２２ａとの上下方向における距離が互いに略等しくなっている。したがって、本形態では、搭載面２２ａに搭載される撮像素子２に対するベース部材１３の傾き（すなわち、固定体４の傾き）を抑制することが可能になる。その結果、本形態では、固定体４を介して可動体３に保持されるレンズの光軸Ｌの、撮像素子２に対する傾きを抑制することが可能になる。すなわち、本形態では、レンズを保持する可動体３が停止しているときの撮像素子２に対するレンズの光軸Ｌの傾き（初期チルト）を抑制することが可能になる。
【００４８】
本形態では、基板６の上面６ａ側において、導体パターン２２が基板６の外周に沿って略正方形の枠状に形成されている。そのため、本形態では、略正方形の枠状に形成される導体パターン２２によって基板６の剛性を高めることが可能になる。また、本形態では、略正方形の枠状に形成される導体パターン２２によって基板６の反りを抑制することが可能になる。
【００４９】
本形態では、ベース部材１３の下面１３ｃに撮像素子２に対するレンズの光軸Ｌの傾きを補正するための４個の突起１３ｄが形成されている。また、本形態では、レンズ駆動装置１の製造過程において、撮像素子２に対する光軸Ｌの傾き角度と傾き方向とを検査し、光軸Ｌの傾き角度が所定の基準値を超えている場合には、光軸Ｌの傾き方向の検査結果に基づいて、突起１３ｄを潰して、撮像素子２に対する光軸Ｌの傾きを補正している。そのため、本形態では、４個の突起１３ｄを利用して、光軸Ｌの傾きを補正することで、初期チルトを効果的に抑制することが可能になる。
【００５０】
なお、板バネ８、９を変形させることで、光軸Ｌの傾きを補正して、初期チルトを効果的に抑制することも可能であるが、板バネ８、９を変形させると、可動体３の移動速度や移動量等の可動体３の移動特性等に悪影響を及ぼすおそれがある。これに対して、本形態では、レンズ駆動装置１の内部の構成を変えることなく、４個の突起１３ｄを利用して、撮像素子２や基板６等を除くレンズ駆動装置１の全体を傾けることで、光軸Ｌの傾きを補正している。そのため、本形態では、光軸Ｌの傾きを補正しても、可動体３の移動特性等のレンズ駆動装置１の他の特性に悪影響を及ぼすおそれはない。
【００５１】
本形態では、略正方形の枠状に形成される下面１３ｃの四隅のそれぞれに突起１３ｄが形成されている。そのため、本形態では、上述のように、８方向への光軸Ｌの傾き補正を行うことができる。
【００５２】
（他の実施の形態）
上述した形態は、本発明の好適な形態の一例ではあるが、これに限定されるものではなく本発明の要旨を変更しない範囲において種々変形実施が可能である。
【００５３】
上述した形態では、基板６の上面６ａ側において（すなわち、基材２１の上側において）、導体パターン２２が基板６の外周に沿って略正方形の枠状に形成されている。この他にもたとえば、図７に示すように、基材２１の上側において、当接部６ｃとなる基板６の四隅のそれぞれに、互いに繋がっていない導体パターン２２が形成されても良い。この場合には、基材２１の上側において４つの当接部６ｃのそれぞれに形成される導体パターン２２は、たとえば、信号用や電源用の導体パターン２２等の基板６の機能を発揮させるために不可欠な導体パターン２２ではなく、４つの当接面６ｂを光軸方向に略直交する略同一平面上に配置させるための調整用の導体パターン２２である。
【００５４】
なお、基材２１の上側において、４つの当接部６ｃのうちのいずれかに形成される導体パターン２２が、信号用や電源用の導体パターン２２等の基板６の機能を発揮させるために不可欠な導体パターン２２である場合には、残りの当接部６ｃに、４つの当接面６ｂを略同一平面上に配置させるための調整用の導体パターン２２が形成されれば良い。たとえば、図８に示すように、基材２１の上側において、４つの当接部６ｃのうちの３つの当接部６ｃに形成される導体パターン２２が、信号用や電源用の導体パターン２２等の基板６の機能を発揮させるために不可欠な導体パターン２２Ａである場合には、残りの１つの当接部６ｃに、４つの当接面６ｂを略同一平面上に配置させるための調整用の導体パターン２２Ｂが形成されれば良い。このように、基材２１の上側において、４つの当接部６ｃのうちのいずれかに不可欠な導体パターン２２が形成されていない場合には、その当接部６ｃに調整用の導体パターン２２を形成するといった簡易な構成で、搭載面２２ａと当接面６ｂとを略平行にすること、および、上下方向における搭載面２２ａと当接面６ｂとの距離を略一定することが可能になる。なお、基材２１の上側において、４つの当接部６ｃのそれぞれに、信号用や電源用の導体パターン２２等の基板６の機能を発揮させるために不可欠な導体パターン２２が形成される場合には、４つの当接面６ｂを略同一平面上に配置させるための調整用の導体パターン２２は形成されない。
【００５５】
上述した形態では、４つの当接部６ｃの上面側の全てにおいて、基材２１上に導体パターン２２が形成され、かつ、導体パターン２２が保護膜２３で覆われている。この他にもたとえば、４つの当接部６ｃの上面側の全てにおいて、図９に示すように、基材２１上に導体パターン２２が形成されずに、基材２１が保護膜２３で覆われていても良い。すなわち、４つの当接部６ｃの上面側の全てにおいて導体パターン２２が配置されないように、基材２１上に導体パターン２２が形成されても良い。この場合であっても、４つの当接面６ｂを、光軸方向に略直交する略同一平面上に配置することが可能である。また、４つの当接面６ｂのそれぞれと搭載面２２ａとを略平行にすること、および、４つの当接面６ｂのそれぞれと搭載面２２ａとの上下方向における距離を互いに略等しくすることが可能である。
【００５６】
なお、４つの当接面６ｂのそれぞれと搭載面２２ａとを略平行にするとともに、４つの当接面６ｂのそれぞれと搭載面２２ａとの上下方向における距離を互いに略等しくするように、４つの当接部６ｃの上面側の全てにおいて、基材２１上に導体パターン２２が形成されない場合には、信号用や電源用の導体パターン２２等の基板６の機能を発揮させるために不可欠な導体パターン２２を当接部６ｃの上面側に配置できないため、導体パターン２２の引き回しの自由度が低下する。これに対して、４つの当接面６ｂのそれぞれと搭載面２２ａとを略平行にするとともに、４つの当接面６ｂのそれぞれと搭載面２２ａとの上下方向における距離を互いに略等しくするために、４つの当接部６ｃの上面側の全てにおいて、基材２１上に導体パターン２２が形成されている場合には、信号用や電源用の導体パターン２２等の基板６の機能を発揮させるために不可欠な導体パターン２２を当接部６ｃの上面側に配置できるため、導体パターン２２の引き回しの自由度を高めることができる。
【００５７】
上述した形態では、保護膜２３の表面が当接面６ｂとなっている。この他にもたとえば、図１０（Ａ）に示すように、保護膜２３の表面にシルク印刷等の所定の印刷方法で印刷された印刷層２５が形成される場合には、印刷層２５の表面が当接面６ｂとなっても良い。この場合であっても、４つの当接面６ｂを、光軸方向に略直交する略同一平面上に配置することが可能である。また、４つの当接面６ｂのそれぞれと搭載面２２ａとを略平行にすること、および、４つの当接面６ｂのそれぞれと搭載面２２ａとの上下方向における距離を互いに略等しくすることが可能である。
【００５８】
また、この場合には、保護膜２３の色と印刷層２５の色とを変えることで、当接面６ｂを目視ではっきりと確認することが可能になる。また、当接面６ｂに汚れや傷等が発生したことを容易に見つけることが可能になる。なお、保護膜２３の表面が当接面６ｂとなっている場合には、保護膜２３の表面に形成される印刷層２５の表面が当接面６ｂになっている場合と比較して、基板６の構成を簡素化することが可能になる。また、図１０（Ｂ）に示すように、４つの当接部６ｃの上面側の全てにおいて、基材２１上に導体パターン２２が形成されずに、基材２１が保護膜２３で覆われる場合に、保護膜２３の表面に印刷層２５が形成され、この印刷層２５の表面が当接面６ｂとなっても良い。
【００５９】
上述した形態では、４つの当接部６ｃの上面側において、基材２１上に導体パターン２２が形成され、かつ、導体パターン２２が保護膜２３で覆われており、保護膜２３の表面が当接面６ｂとなっている。この他にもたとえば、４つの当接部６ｃの上面側において、基材２１上に導体パターン２２が形成され、かつ、導体パターン２２が保護膜２３で覆われていなくても良い。この場合には、導体パターン２２の表面が当接面６ｂとなる。また、４つの当接部６ｃの上面側において、基材２１上に導体パターン２２および保護膜２３が形成されていなくても良い。この場合には、基材２１の表面が当接面６ｂとなる。
【００６０】
上述した形態では、保護膜２３は、半田付けが必要な部分を除く、基板６の表面の全域に形成されている。この他にもたとえば、図１１に示すように、基板６の上面６ａ側において、保護膜２３が取り除かれた非保護部２７が、当接面６ｂを囲むように形成されても良い。非保護部２７は、たとえば、当接面６ｂを囲むように略円弧状に形成される。また、非保護部２７は、たとえば、保護膜２３の表面から導体パターン２２に向かって窪む溝状に形成される。この場合には、当接面６ｂ以外の箇所で発生した半田等の異物が基板６の上面６ａに沿って当接面６ｂに向かって流れてきても、この異物は非保護部２７に入り込む。したがって、当接面６ｂ以外の箇所で発生した異物が当接面６ｂに付着するのを防止することが可能になる。なお、図１１（Ｂ）は、図１１（Ａ）のＧ部の拡大図であり、図１１（Ｃ）は、図１１（Ｂ）のＨ−Ｈ断面の断面図である。
【００６１】
上述した形態では、ベース部材１３の下面１３ｃに複数の突起１３ｄが形成されているが、下面１３ｃに突起１３ｄが形成されていなくても良い。この場合には、基板６は、その当接面６ｂを下面１３ｃに当接させた状態で、下面１３ｃに固定される。なお、下面１３ｃに突起１３ｄが形成される場合には、突起１３ｄが当接する面を当接面６ｂとすることができるため、当接面６ｂの面積を小さくすることが可能になる。したがって、下面１３ｃに突起１３ｄが形成される場合であって、当接部６ｃの上面側に導体パターン２２が形成される場合には、当接面６ｂと搭載面２２ａとが略平行になるように、かつ、上下方向における当接面６ｂと搭載面２２ａとの距離が略一定になるように、突起１３ｄに対応した面積の小さな導体パターン２２が形成されれば良い。その結果、導体パターン２２の引き回しの自由度を高めることが可能になり、比較的容易に導体パターン２２を形成することが可能になる。
【００６２】
上述した形態では、基板６は、両面基板であり、基材２１の両面に導体パターン２２が形成されている。この他にもたとえば、基板６は、基材２１の上面のみに導体パターン２２が形成される片面基板であっても良い。また、基板６は、多層基板であっても良い。
【００６３】
上述した形態では、光軸Ｌの傾きを補正する際に、下面１３ｃの周方向で隣接する２個の突起１３ｄ、または、１個の突起１３ｄを潰して光軸Ｌの傾きを補正している。この他にもたとえば、光軸Ｌの傾きを補正する際に、１個の突起１３ｄを潰す代わりに、３個の突起１３ｄを潰して光軸Ｌの傾きを補正しても良い。
【００６４】
上述した形態では、突起１３ｄは、略正方形の枠状に形成される下面１３ｃの四隅のそれぞれに形成されているが、下面１３ｃに４個の突起１３ｄが形成される場合には、下面１３ｃの任意の箇所に突起１３ｄが形成されても良い。また、下面１３ｃの四隅に形成される突起１３ｄに加えて、下面１３ｃを構成する４つの辺Ｅ１〜Ｅ４のそれぞれの略中心位置に突起１３ｄが形成されても良い。すなわち、８個の突起１３ｄが下面１３ｃに形成されても良い。また、２個、３個あるいは５個〜７個の突起１３ｄが下面１３ｃに形成されても良いし、９個以上の突起１３ｄが下面１３ｃに形成されても良い。また、上述した形態では、突起１３ｄは、扁平な円柱状に形成されているが、突起１３ｄは、扁平な多角柱状に形成されても良いし、扁平な楕円柱状に形成されても良い。また、突起１３ｄは、球状に形成されても良い。
【００６５】
上述した形態では、ベース部材１３の下面１３ｃは、光軸方向から見たときの形状が略正方形の枠状となるように形成されている。この他にもたとえば、下面１３ｃは、光軸方向から見たときの形状が略長方形の枠状となるように形成されても良い。また、下面１３ｃは、光軸方向から見たときの形状が四角形以外の多角形の枠状となるように形成されても良いし、光軸方向から見たときの形状が略円形または略楕円形の枠状となるように形成されても良い。また、上述した形態では、レンズ駆動装置１は、光軸方向から見たときの形状が略四角形状となるように形成されているが、レンズ駆動装置１は、光軸方向から見たときの形状が略四角形状以外の略多角形状となるように形成されても良いし、光軸方向から見たときの形状が略円形状あるいは略楕円形状となるように形成されても良い。
【符号の説明】
【００６６】
１  レンズ駆動装置
２  撮像素子
３  可動体
４  固定体
５  駆動機構
６  基板
６ａ  上面（基板の被写体側の面）
６ｂ  当接面
６ｃ  当接部
１３ｄ（１３ｅ〜１３ｈ）  突起
２１  基材
２２（２２Ａ、２２Ｂ）  導体パターン
２２ａ  搭載面
２３  保護膜
２５  印刷層
２７  非保護部
Ｌ  光軸
Ｚ  光軸方向
Ｚ１  被写体側
Ｚ２  反被写体側
【図１】
2013186248.tif 000003
【図２】
2013186248.tif 000004
【図３】
2013186248.tif 000005
【図４】
2013186248.tif 000006
【図５】
2013186248.tif 000007
【図６】
2013186248.tif 000008
【図７】
2013186248.tif 000009
【図８】
2013186248.tif 000010
【図９】
2013186248.tif 000011
【図１０】
2013186248.tif 000012
【図１１】
2013186248.tif 000013